(57)【特許請求の範囲】
【請求項１】
赤、緑、青、及びそれらより明度の高い第４の色のサブピクセルが、行及び列方向に複数配列され、隣接する２行２列の４つのサブピクセルの混色によって１ピクセルを構成する液晶パネルと、
前記液晶パネルに、入力画像信号に応じた画像が１フレーム毎に表示されるように、サブピクセルの駆動信号を生成する信号制御部と、を備え、
前記信号制御部は、
前記行方向において１行ずつ重なり合い、又は前記列方向において１列ずつ重なり合って隣接する２行２列の４つのサブピクセル毎に１ピクセルを構成するようにサブピクセルの駆動データを生成し、生成した駆動データを、ピクセルの重なり合い状態に応じてサブピクセル毎に加算して前記液晶パネルに出力する駆動信号とし、
前記画像を構成する各ピクセルは、フレームが更新される毎に前記液晶パネル上の該ピクセルに対応する同一の４つのサブピクセルの混色により構成されることを特徴とする液晶表示装置。
【請求項２】
前記信号制御部は、
前記液晶パネルの左右端の列、又は上下端の行を除く全てのサブピクセルについて、それぞれ重なり合う２つのピクセルに関する駆動データを加算して駆動信号とすることを特徴とする請求項１に記載の液晶表示装置。
【請求項３】
前記信号制御部は、
前記行方向において１行ずつ重なり合い、かつ、前記列方向において１列ずつ重なり合って隣接する２行２列の４つのサブピクセル毎に１ピクセルを構成するようにサブピクセルの駆動データを生成し、生成した駆動データを、ピクセルの重なり合い状態に応じてサブピクセル毎に加算して前記液晶パネルに出力する駆動信号とし、
前記画像を構成する各ピクセルは、フレームが更新される毎に前記液晶パネル上の該ピクセルに対応する同一の４つのサブピクセルの混色により構成されることを特徴とする請求項１に記載の液晶表示装置。
【請求項４】
前記信号制御部は、
前記液晶パネルの左右端の列、及び上下端の行を除く全てのサブピクセルについて、それぞれ重なり合う４つのピクセルに関する駆動データを加算して駆動信号とすることを特徴とする請求項３に記載の液晶表示装置。
【請求項５】
前記液晶パネルの行及び列方向に配列されるサブピクセル数が、各々行及び列方向において表示すべきピクセル数に１つ足した個数であることを特徴とする請求項３に記載の液晶表示装置。
【請求項６】
前記信号制御部は、前記入力画像信号を、１ピクセル毎に赤、緑、青、及び第４の色の周波数成分に分解し、各周波数成分の量に応じて前記２行２列の４つのサブピクセルの駆動データを生成することを特徴とする請求項１乃至５のいずれか１項に記載の液晶表示装置。
【請求項７】
前記第４の色が白であることを特徴とする請求項１乃至６のいずれか１項に記載の液晶表示装置。
【請求項８】
前記信号制御部は、
前記入力画像信号の１フレーム分の画像情報に基づいて、該１フレームを構成する１ピクセル毎に、前記液晶パネル側の各サブピクセルの駆動データを生成し、生成した駆動データを、前記液晶パネル側のピクセルの重なり合い状態に応じて、単独のまま、あるいは重なった複数のピクセルの数分だけ加算した上で前記液晶パネルの各サブピクセルへの駆動信号として出力することを特徴とする請求項１又は請求項３に記載の液晶表示装置。
【発明の詳細な説明】
【技術分野】
【０００１】
本発明は、液晶表示装置に関する。
【背景技術】
【０００２】
液晶表示装置は、行及び列方向に多数のサブピクセルが配置された液晶パネルと、各サブピクセルへの駆動信号を生成する信号制御部とを備え、各サブピクセルが駆動信号に応じて、赤、緑、青などに発光することによってピクセル毎に色が再現されて画像がカラー表示されるようになっている。
【０００３】
液晶パネル１０１は、従来、図６に示すように、ストライプ状の赤（Ｒ）、緑（Ｇ）、青（Ｂ）のサブピクセルが行及び列方向に順に配置されて構成されている。各サブピクセルは、ソースドライバ１０２とゲートドライバ１０３から延びてマトリクス状になった配線１０４、１０５により駆動信号を入力されて駆動され、赤（Ｒ）、緑（Ｇ）、青（Ｂ）の３つのサブピクセルの混色により、各ピクセルＰ（１、１）、Ｐ（１、２）・・・Ｐ（３、３）毎に色が再現される。
【０００４】
また、図７に示すように、赤（Ｒ）、緑（Ｇ）、青（Ｂ）、及び白（Ｗ）のサブピクセルが行及び列方向に配置され、２行２列の４つずつのサブピクセル赤（Ｒ）、緑（Ｇ）、青（Ｂ）、白（Ｗ）によって各ピクセルの再現を行うようにした液晶パネル２０１がある（例えば、特許文献１及び特許文献２参照）。この液晶パネル２０１では、隣接する４つのサブピクセルの組毎に、ピクセルＰ（１、１）、Ｐ（１、２）・・・Ｐ（３、３）が順に再現されるようになっている。各サブピクセルへの駆動信号は、図６のものと同様に、ソースドライバ２０２とゲートドライバ２０３から延びてマトリクス状になった配線２０４、２０５により入力される。
【０００５】
この液晶パネル２０１では、明度の高い白（Ｗ）のサブピクセルを備えることから、液晶パネル全体の透過率（バックライトからの光の透過率）を高くすることができる。
【先行技術文献】
【特許文献】
【０００６】
【特許文献１】特開２００８−６４７７１号公報
【特許文献２】特許第４５７９８７４号公報
【発明の概要】
【発明が解決しようとする課題】
【０００７】
上記のように、図７に示す白のサブピクセルを備える液晶パネル２０１の方が、図６に示す赤、緑、青のサブピクセルで色再現する液晶パネル１０１よりも、透過率の高さの点で優れているが、サブピクセルの数が増加することに伴い駆動信号を送るための配線数が増加する可能性があり、少なくともゲートドライバ側の配線数が倍増するという問題がある。
【０００８】
配線は光の透過を妨げるので、本数が増える分だけ、液晶パネル全体の透過率を減少させ、白のサブピクセルを備えることにより得られる透過率の向上幅を減殺する。また、少なくともゲートドライバ側の配線数が倍増することにより、ゲートドライバ内に設けるドライバデバイスの数が増加してコストアップになる。
【０００９】
そこで、本発明は、上記課題を解決するものであり、２行２列の４つのサブピクセルの混色により１ピクセルを構成する液晶パネルを備える液晶表示装置において、サブピクセルに駆動信号を送る配線の本数を大幅に削減でき、液晶パネルの透過率を向上させることができると共に、配線に付随する必要なドライバデバイスの個数が減ることによって容易にコストダウンを図ることができる液晶表示装置を提供することを目的とする。
【課題を解決するための手段】
【００１０】
上記課題を解決するために、請求項１の発明は、赤、緑、青、及びそれらより明度の高い第４の色のサブピクセルが、行及び列方向に複数配列され、隣接する２行２列の４つのサブピクセルの混色によって１ピクセルを構成する液晶パネルと、前記液晶パネルに、入力画像信号に応じた画像が１フレーム毎に表示されるように、サブピクセルの駆動信号を生成する信号制御部と、を備え、前記信号制御部は、前記行方向において１行ずつ重なり合い、又は前記列方向において１列ずつ重なり合って隣接する２行２列の４つのサブピクセル毎に１ピクセルを構成するようにサブピクセルの駆動データを生成し、生成した駆動データを、ピクセルの重なり合い状態に応じてサブピクセル毎に加算して前記液晶パネルに出力する駆動信号とし、前記画像を構成する各ピクセルは、フレームが更新される毎に前記液晶パネル上の該ピクセルに対応する同一の４つのサブピクセルの混色により構成されることを特徴とする。
請求項２の発明は、請求項１の発明において、前記信号制御部は、前記液晶パネルの左右端の列、又は上下端の行を除く全てのサブピクセルについて、それぞれ重なり合う２つのピクセルに関する駆動データを加算して駆動信号とすることを特徴とする。
【００１１】
請求項３の発明は、請求項１の発明において、前記信号制御部は、前記行方向において１行ずつ重なり合い、かつ、前記列方向において１列ずつ重なり合って隣接する２行２列の４つのサブピクセル毎に１ピクセルを構成するようにサブピクセルの駆動データを生成し、生成した駆動データを、ピクセルの重なり合い状態に応じてサブピクセル毎に加算して前記液晶パネルに出力する駆動信号とし、前記画像を構成する各ピクセルは、フレームが更新される毎に前記液晶パネル上の該ピクセルに対応する同一の４つのサブピクセルの混色により構成されることを特徴とする。
請求項４の発明は、請求項３の発明において、前記信号制御部は、前記液晶パネルの左右端の列、及び上下端の行を除く全てのサブピクセルについて、それぞれ重なり合う４つのピクセルに関する駆動データを加算して駆動信号とすることを特徴とする。
【００１２】
請求項５の発明は、請求項３の発明において、前記液晶パネルの行及び列方向に配列されるサブピクセル数が、各々行及び列方向において表示すべきピクセル数に１つ足した個数であることを特徴とする。
【００１３】
請求項６の発明は、請求項１乃至請求項５のいずれか１項に記載の発明において、前記信号制御部は、前記入力画像信号を、１ピクセル毎に赤、緑、青、及び第４の色の周波数成分に分解し、各周波数成分の量に応じて前記２行２列の４つのサブピクセルの駆動データを生成することを特徴とする。
【００１４】
請求項７の発明は、請求項１乃至請求項６のいずれか１項に記載の発明において、前記第４の色が白であることを特徴とする。
請求項８の発明は、請求項１又は請求項３の発明において、前記信号制御部は、前記入力画像信号の１フレーム分の画像情報に基づいて、該１フレームを構成する１ピクセル毎に、前記液晶パネル側の各サブピクセルの駆動データを生成し、生成した駆動データを、前記液晶パネル側のピクセルの重なり合い状態に応じて、単独のまま、あるいは重なった複数のピクセルの数分だけ加算した上で前記液晶パネルの各サブピクセルへの駆動信号として出力することを特徴とする。
【発明の効果】
【００１５】
請求項１の発明によれば、信号制御部が、行方向において１行ずつ重なり合い、又は列方向において１列ずつ重なり合って隣接する２行２列の４つのサブピクセル毎に１ピクセルを構成するようにサブピクセルの駆動信号を生成するので、駆動信号を送るための配線の本数が少なくて済み、液晶パネルの透過率を向上させることができると共に、必要なドライバデバイスの個数が減ることによって容易にコストダウンを図ることができる。
【００１６】
請求項２の発明によれば、信号制御部が、行方向において１行ずつ重なり合い、かつ、列方向において１列ずつ重なり合って隣接する２行２列の４つのサブピクセル毎に１ピクセルを構成するようにサブピクセルの駆動信号を生成するので、駆動信号を送るための配線の本数が少なくて済み、液晶パネルの透過率を向上させることができると共に、必要なドライバデバイスの個数が減ることによって容易にコストダウンを図ることができる。
【００１７】
請求項３の発明によれば、行方向及び列方向に配列されるサブピクセル数が、各々行方向及び列方向において表示すべきピクセル数に１つ足した個数であるので、駆動信号を送るための配線の本数が少なくて済み、液晶パネルの透過率を向上させることができると共に、必要なドライバデバイスの個数が減ることによって容易にコストダウンを図ることができる。
【００１８】
請求項４の発明によれば、入力される画像信号を１ピクセル毎に周波数成分に分解し、各周波数成分の量に応じて４つのサブピクセルの駆動信号を生成するので、画像信号に基づいて各サブピクセルの駆動信号を生成する工程が簡単になる。
【００１９】
請求項５の発明によれば、４つのサブピクセルの中の第４の色が白であるので、液晶パネル全体の透過率が向上する。
【図面の簡単な説明】
【００２０】
【図１】本発明の一実施形態に係る液晶表示装置のブロック図。
【図２】同液晶表示装置において画像情報をピクセル毎に周波数分解する工程を示す図。
【図３】同液晶表示装置における液晶パネルのサブピクセルの配置と再現するピクセルの対応を示す図。
【図４】同液晶表示装置においてライン反転型駆動を採用する液晶パネルの配線を示す図。
【図５】同液晶表示装置においてフレーム反転型駆動を採用する液晶パネルの配線を示す図。
【図６】従来の液晶表示装置における液晶パネルのサブピクセルの配置とピクセルの関係を示す図。
【図７】従来の液晶表示装置における液晶パネルのサブピクセルの配置とピクセルの関係を示す図。
【発明を実施するための形態】
【００２１】
以下、本発明の一実施形態に係る液晶表示装置について、図１乃至図５を参照して説明する。本実施形態の液晶表示装置１は、テレビジョン受像機のディスプレイとして構成され、図１に示されるように、赤（Ｒ）、緑（Ｇ）、青（Ｂ）、白（Ｗ）のサブピクセルが、行及び列方向に多数配列された液晶パネル２と、液晶パネル２に入力画像信号３に応じた画像が表示されるように、サブピクセルの駆動信号を生成する信号制御部４と、を備える。画像信号３は、チューナなどの信号源から入力されるＲ信号、Ｇ信号、及びＢ信号からなる。
【００２２】
液晶パネル２のサブピクセルは、２行２列の隣接する４つが、赤（Ｒ）、緑（Ｇ）、青（Ｂ）、白（Ｗ）色とされて、これらの発光が混合されて１ピクセルの色を再現する。また、各サブピクセルは、ソースドライバ５から列方向に延びる配線６と、ゲートドライバ７から行方向に延びる配線８とに、それぞれ接続されている。そして、行方向に沿ったサブピクセルが、１行ずつ、ゲートドライバ７からの駆動信号（タイミング信号）に応じたタイミングで、ソースドライバ５からの駆動信号（データ信号）を印加され、各サブピクセルがデータ信号に応じた輝度で発光するようになっている。サブピクセルの発光は、各サブピクセルの液晶層がデータ信号に応じた透過率になることによってバックライト（不図示）の光が前方へ出射することによる。
【００２３】
信号制御部４は、入力画像信号３に応じた画像が液晶パネル２に表示されるように、入力画像信号３に基づいて各サブピクセルへ出力する駆動信号（データ信号）９を生成する信号処理部１１と、生成された駆動信号（データ信号）９にタイミング信号を加えて、ソースドライバ５及びゲートドライバ７へ出力するデータ・コントロール信号１２及びコントロール信号１３を生成するコントローラ１４と、を備える。
【００２４】
駆動信号（データ信号）９を含むデータ・コントロール信号１２は、ソースドライバ５に入力された後、ソースドライバ５内のシフトレジスタ、ラインメモリ、Ｄ／Ａコンバータなどのドライバデバイスにより所定形式の信号に変換されて配線６へ出力される。ゲートドライバ７内にはコントロール信号１３を配線８を介して出力するための所定形式に変換するドライバデバイスが備えられている。
【００２５】
信号処理部１１は、マイクロコンピュータから構成され、入力画像信号３をフレーム毎に一時記憶するフレームメモリ１５と、フレームメモリ１５に記憶した画像情報を、ピクセル毎に周波数成分の量に応じて重み付けした周波数別輝度情報に加工する周波数分解部１６と、周波数別輝度情報に基づいて液晶パネル２の各サブピクセルへ印加する駆動信号（データ信号）９を生成するデータ信号生成部１７と、を備える。
【００２６】
以下、信号処理部１１が駆動信号（データ信号）９を生成する手順について、図２、３を参照して説明する。例えば、今、フレームメモリ１５に記憶した１フレームの画像情報２１が図２に示すものであるとすると、周波数分解部１６は、画像情報２１を１ピクセル毎に読み出して、各ピクセルＰ（ｘ、ｙ）の色（Ｖ）を、白（Ｗ）、青（Ｂ）、緑（Ｇ）、赤（Ｒ）の周波数成分に分解し、そのピクセルＰ（ｘ、ｙ）の輝度を周波数成分毎の量に応じて重み付けして周波数別輝度情報を生成する。
【００２７】
具体的には、画像情報２１を構成するピクセルＰ（１、１）・・Ｐ（ｘ、ｙ）・・Ｐ（ｎ、ｍ）の輝度が、Ｋ（１、１）・・・Ｋ（ｘ、ｙ）・・・Ｋ（ｎ、ｍ）であるときに、ピクセルＰ（ｘ、ｙ）の色（Ｖ）が、図２に示すように分解される。白、青、緑、赤の周波数毎の分量（白：青：緑：赤）が、例えば、４０：３０：１５：１５となった場合、周波数別輝度情報は、順に、（４０／１００）Ｋ（ｘ、ｙ）、（３０／１００）Ｋ（ｘ、ｙ）、（１５／１００）Ｋ（ｘ、ｙ）、（１５／１００）Ｋ（ｘ、ｙ）になる。このようにして、生成される白、青、緑、赤の周波数別輝度情報を、それぞれ、Ｋｗ（ｘ、ｙ）、Ｋｂ（ｘ、ｙ）、Ｋｇ（ｘ、ｙ）、Ｋｒ（ｘ、ｙ）と表す。例えば、Ｋｗ（１、１）は、ピクセルＰ（１、１）に関して生成した白色輝度情報である。周波数分解部１６は、上記手順を繰返して画像情報２１の全ピクセルＰ（１、１）・・Ｐ（ｘ、ｙ）・・Ｐ（ｎ、ｍ）について、周波数別輝度情報を生成する。
【００２８】
次に、データ信号生成部１７が、上記のようにして生成した周波数別輝度情報に基づいてサブピクセルの駆動信号９を生成する手順について、図３を参照して説明する。説明の都合上、データ信号生成部１７は、ピクセルＰ（ｘ、ｙ）の行及び列に沿った順（Ｐ（１、１）、Ｐ（１、２）・・Ｐ（１、ｍ）、Ｐ（２、１）、Ｐ（２、２）・・Ｐ（ｎ、ｍ））に処理していくとするが、処理の順番はピクセルの配列順でなくてもよい。
【００２９】
データ信号生成部１７は、まず、ピクセルＰ（１、１）に関する周波数別輝度情報Ｋｗ（１、１）、Ｋｂ（１、１）、Ｋｇ（１、１）、Ｋｒ（１、１）を、液晶パネル２の１行１列目のサブピクセル（Ｒ）、１行２列目のサブピクセル（Ｗ）、２行１列目のサブピクセル（Ｇ）、及び２行２列目のサブピクセル（Ｂ）の４つのサブピクセルで構成されるピクセルＱ（１、１）に適用する。具体的には、１行１列目の赤色サブピクセル（Ｒ）に対して赤色輝度情報Ｋｒ（１、１）に応じた駆動データを生成し、１行２列目の白色サブピクセル（Ｗ）に対して白色輝度情報Ｋｗ（１、１）に応じた駆動データを生成し、２行１列目の緑色サブピクセル（Ｇ）に対して緑色輝度情報Ｋｇ（１、１）に応じた駆動データを生成し、２行２列目の青色サブピクセル（Ｂ）に対して青色輝度情報Ｋｂ（１、１）に応じた駆動データを生成する。
【００３０】
ここで、ピクセルＱ（１、１）に関して生成した駆動データを、赤、白、緑、青の順に、Ｄｒ（１、１）、Ｄｗ（１、１）、Ｄｇ（１、１）、Ｄｂ（１、１）と表す。データ信号生成部１７は、これらの駆動データＤｒ（１、１）、Ｄｗ（１、１）、Ｄｇ（１、１）、Ｄｂ（１、１）を記憶する。周波数別輝度情報Ｋｒ（１、１）、Ｋｗ（１、１）、Ｋｇ（１、１）、Ｋｂ（１、１）が、例えば、前述のように、１５／１００：４０／１００：１５／１００：３０／１００の重み付けである場合には、駆動データＤｒ（１、１）、Ｄｗ（１、１）、Ｄｇ（１、１）、Ｄｂ（１、１）の値も１５／１００：４０／１００：１５／１００：３０／１００の重みに配分されたもの（電圧データ）になる。
【００３１】
データ信号生成部１７は、次に、画像情報２１のピクセルＰ（１、２）に関する周波数別輝度情報Ｋｗ（１、２）、Ｋｂ（１、２）、Ｋｇ（１、２）、Ｋｒ（１、２）を、ピクセルＱ（１、１）に、１列分重なり合って右に隣接するピクセルＱ（１、２）に適用する。
【００３２】
具体的には、１行２列目のサブピクセル（Ｗ）に対して輝度情報Ｋｗ（１、２）を適用して輝度情報Ｋｗ（１、２）に応じた駆動データを生成し、１行３列目のサブピクセル（Ｒ）に対して輝度情報Ｋｒ（１、２）を適用して輝度情報Ｋｒ（１、２）に応じた駆動データを生成し、２行２列目のサブピクセル（Ｂ）に対して輝度情報Ｋｂ（１、２）を適用して輝度情報Ｋｂ（１、２）に応じた駆動データを生成し、２行３列目のサブピクセル（Ｇ）に対して輝度情報Ｋｇ（１、２）を適用して輝度情報Ｋｇ（１、２）に応じた駆動データを生成する。そして、データ信号生成部１７は、生成した駆動データＤｗ（１、２）、Ｄｒ（１、２）、Ｄｂ（１、２）、Ｄｇ（１、２）を記憶する。
【００３３】
データ信号生成部１７は、同様の手順を繰返して、画像情報２１の１行目の終端のピクセルＰ（１、ｍ）までの各ピクセルについて、それぞれ駆動データを生成する。
【００３４】
次に、データ信号生成部１７は、画像情報２１の２行目のピクセルＰ（２、１）、Ｐ（２、２）・・Ｐ（２、ｍ）についても同様に、周波数別輝度情報を、１列ずつ重なり合って隣接するピクセルＱ（２、１）、Ｑ（２、２）・・Ｑ（２、ｍ）に適用し、順に駆動データを生成する。ここで、２行目以降のピクセルＱ（２、１）、Ｑ（２、２）・・Ｑ（２、ｍ）は、図３に示すように、直上の行（直近の上の行）に１行ずつ重なり合う。例えば、ピクセルＱ（２、１）は、２行１列目のサブピクセル（Ｇ）、２行２列目のサブピクセル（Ｂ）、３行１列目のサブピクセル（Ｒ）、３行２列目のサブピクセル（Ｗ）の４つのサブピクセルから構成される。
【００３５】
このように、画像情報２１の各ピクセルＰ（ｘ、ｙ）を構成させる液晶パネル２側のピクセルＱ（ｘ、ｙ）は、１行及び１列ずつ重なり合ったものに設定する。これにより、液晶パネル２を構成するサブピクセルの行数及び列数は、画像情報２１のピクセルの行数ｎ及び列数ｍに、それぞれ１足した数（ｎ＋１）及び（ｍ＋１）で足りることになり、図７に示した液晶表示装置に比べて配線６、８の本数が大幅に低減される。
【００３６】
データ信号生成部１７は、以上のようにして、生成及び記憶したピクセルＱ（ｘ、ｙ）毎の４つのサブピクセルについての駆動データＤｒ（１、１）、Ｄｗ（１、１）、Ｄｇ（１、１）、Ｄｂ（１、１）・・Ｄｒ（ｎ、ｍ）、Ｄｗ（ｎ、ｍ）、Ｄｇ（ｎ、ｍ）、Ｄｂ（ｎ、ｍ）を、サブピクセル毎に加算して最終的な各サブピクセルへの駆動信号（データ信号）９とする。
【００３７】
例えば、１行１列目の赤色のサブピクセル（Ｒ）は、このサブピクセル（Ｒ）を構成要素とするピクセルが、ピクセルＱ（１、１）だけであるので、ピクセルＱ（１、１）に関して生成した駆動データＤｒ（１、１）をそのまま１行１列目のサブピクセル（Ｒ）の駆動信号（データ信号）９とする。
【００３８】
１行２列目の白色のサブピクセル（Ｗ）は、ピクセルＱ（１、１）及びピクセルＱ（１、２）に共通して構成要素となっているので、２つのピクセルに関して生成した駆動データＤｗ（１、１）と駆動データＤｗ（１、２）を加算して１行２列目のサブピクセル（Ｗ）の駆動信号（データ信号）９とする。具体的には、１行２列目のサブピクセルの駆動信号（データ信号）は、（Ｄｗ（１、１）＋Ｄｗ（１、２））となる。同様の手順を繰返して、１行目の各サブピクセルについて、それぞれ駆動信号（データ信号）９を決定する。
【００３９】
２行目以降のサブピクセルについては、左右端を除いて列方向にも重なり合うので４つのピクセルに関して生成した４つのデータを加算して駆動信号（データ信号）９とする。例えば、２行２列目の青色のサブピクセル（Ｂ）は、ピクセルＱ（１、１）、ピクセルＱ（１、２）、ピクセルＱ（２、１）、及びピクセルＱ（２、２）に共通の構成要素となるので、各ピクセルに関して生成したデータを加算して駆動信号（データ信号）９とする。具体的には、２行２列目の青色のサブピクセル（Ｂ）の駆動信号９は、（Ｄｂ（１、１）＋Ｄｂ（１、２）＋Ｄｂ（２、１）＋Ｄｂ（２、２））となる。
【００４０】
信号処理部１１は、以上のようにして生成した各サブピクセルの駆動信号９をコントローラ１４へ順に出力する。出力された駆動信号９は、ソースドライバ５を介して液晶パネル２の各サブピクセルへと所定のタイミングで印加されて元の画像が再現される。
【００４１】
液晶パネル２を構成するサブピクセルが白色を含むので、透過率が高い上に、前述の通りサブピクセルの個数自体が少なくて済むことから配線６、８の本数が大幅に低減でき、それによっても透過率の向上を図ることができる。また、配線６、８の本数が低減できることから、ソースドライバ５、及びゲートドライバ７に搭載するＤ／Ａコンバータなどのドライバデバイスの個数も少なくて済み容易にコストダウンを図ることができる。
【００４２】
なお、信号処理部１１が、画像情報を１フレーム分ではなく、例えば１／２フレーム分ずつ処理するようにすれば、フレームメモリ１５は、１フレームを記憶するよりも小さな容量のもの（例えば、ラインメモリ）に替えることができる。また、透過率は下がるが、白色のサブピクセル（Ｗ）に替えて黄色のサブピクセルを採用することもできる。黄色のサブピクセルを採用したときには、周波数分解部１６は、各ピクセルを黄、青、緑、赤に分解する。
【００４３】
図４に液晶パネル２の実際の配線を示す。各サブピクセルを構成するＴＦＴ２２のゲート端子２２ｇがゲートドライバ７から延びる配線８に接続され、ソース端子２２ｓがソースドライバ５から延びる配線６に接続されている。サブピクセルの行及び列に沿った個数は、前述の通り（ｎ＋１）及び（ｍ＋１）であるので、配線の本数も、それぞれ（ｎ＋１）本、及び（ｍ＋１）本になる。これに対して、図７に示した液晶表示装置２０１では、行及び列方向の配線が２ｎ本、及び２ｍ本必要である。
【００４４】
図４は、ＴＦＴ２２の駆動方式としてライン反転型を採用した場合の配線を示したが、フレーム反転型を採用する場合は、図５に示すように、ソースドライバ５側の配線６が１本増加して（ｍ＋２）本になる。この場合でも、配線の本数は、大幅に低減されている。
【００４５】
以上のように、本発明の液晶表示装置１では、信号制御部４が、液晶パネル２の行及び列方向において、１行及び１列ずつ重なり合って隣接する２行２列の４つのサブピクセル毎に１ピクセルを構成するようにしてサブピクセルの駆動信号を生成するので、表示すべきピクセル数に対して必要なサブピクセル数が低減され、駆動信号を送るための配線の本数が少なくて済む。また、透過率を下げる要因になる配線の本数が少なくなるので、透過率の向上を容易に図ることができる。さらに、ドライバデバイスの個数も減らすことができる。
【符号の説明】
【００４６】
１  液晶表示装置
２  液晶パネル
４  信号制御部
９  駆動信号（データ信号）
１６  周波数分解部
１７  データ信号生成部
Ｐ（ｘ、ｙ）  ピクセル
Ｑ（ｘ、ｙ）  ピクセル
Ｒ、Ｇ、Ｂ、Ｗ  サブピクセル
【図１】
0005321627.tif 000002
【図２】
0005321627.tif 000003
【図３】
0005321627.tif 000004
【図４】
0005321627.tif 000005
【図５】
0005321627.tif 000006
【図６】
0005321627.tif 000007
【図７】
0005321627.tif 000008